(57)【要約】      （修正有）【課題】リング穴が形成された辺を除く端辺に複数のインデックスを形成して、ユーザが任意にマーカーで塗りつぶして容易にインデックスを形成できるフリーのシステム手帳用リフィルを提供する。【解決手段】フリーのリフィルであって、リング穴が形成された辺とは反対側の端辺に、塗りつぶし可能な複数のインデックス部２を設け、そのインデックス部２が、端辺に対して開放された枠線２１を有し、その枠線２１の中央に設けられたスペースも文字等２２が形成されたシステム手帳用リフィルである。【選択図】図３
0003214825.tif 000002
【実用新案登録請求の範囲】
【請求項１】
リング穴を有するフリーのシステム手帳用リフィルであって、
前記リング穴が形成された辺を除く端辺に、塗りつぶし可能な複数のインデックス部を設けたことを特徴とするシステム手帳用リフィル。
【請求項２】
複数のインデックス部は、リング穴が形成された辺とは反対側の端辺に、縦方向に形成されていることを特徴とする請求項１記載のシステム手帳用リフィル。
【請求項３】
複数のインデックス部は、リング穴が形成された辺が左側に形成されている場合に、当該辺に対して右側の端辺に、縦方向に形成されていることを特徴とする請求項１記載のシステム手帳用リフィル。
【請求項４】
インデックス部は、設けられる端辺側に開いた枠線によって形成されていることを特徴とする請求項１乃至３のいずれか記載のシステム手帳用リフィル。
【請求項５】
インデックス部は、枠線の中央部分が切れてスペースが形成され、当該スペースには数字又は文字が印刷されていることを特徴とする請求項４記載のシステム手帳用リフィル。
【考案の詳細な説明】
【技術分野】
【０００１】
本考案は、システム手帳用のリフィルに係り、特に、インデックスをリフィルの外に突出させず、マーカー等で塗りつぶしてインデックスを容易に作成できるシステム手帳用リフィルに関する。
【背景技術】
【０００２】
［先行技術の説明］
従来のシステム手帳用リフィルには、例えば、月間のスケジュール用のリフィルでは、左右の端部に突出させたインデックスを設けるものがあった。
インデックスがあると、目的の月のスケジュールを検索しやすい利点があるが、リフィルと同じサイズ（ジャストリフィルサイズ）の手帳では、インデックス部分がはみ出してしまい、通常の手帳でも突出したインデックス部分が折り曲がってしまうなどの欠点がある。
【０００３】
また、リフィルには、月日をユーザが任意に書き込んで使用できるフリーのリフィルがある。そのフリーのリフィルの場合に、ユーザが必要に応じて任意にインデックスの耳を取り付けるなどをしてインデックスを作ることになり、手間が掛かるものとなっていた。
【０００４】
［関連技術］
尚、関連する先行技術としては、実用新案登録第３１５７５２９号公報「インデックスガイド付ノート、ルーズリーフ用紙」（特許文献１）、特許第３１５７５２９号公報「情報検索用インデックス」（特許文献２）がある。
【０００５】
特許文献１には、ノートの右側にインデックス用罫線（インデックスガイド）をガイドラインとしてマーカーで色を塗り、文字を記入できるノートが記載されている。
特許文献２には、インデックスの記載文字を認識するために５０音の表記の横にマーク欄を設けて検索しやすくした情報検索用インデックスが記載されている。
【先行技術文献】
【特許文献】
【０００６】
【特許文献１】実用新案登録第３１５７５２９号公報
【特許文献２】特許第３１５７５２９号公報
【考案の概要】
【考案が解決しようとする課題】
【０００７】
しかしながら、従来のシステム手帳用リフィルでは、フリーのリフィルの場合に、インデックスをリフィルから突出させることなく、簡易にインデックスを作成できるものではないという問題点があった。
【０００８】
尚、特許文献１，２には、リフィルの縦方向又は横方向の端部に塗りつぶし可能なインデックスを形成することは記載されていない。
【０００９】
本考案は上記実状に鑑みて為されたもので、リング穴が形成された辺を除く端辺に複数のインデックスを形成して、ユーザが任意にマーカーで塗りつぶして容易にインデックスを形成できるフリーのシステム手帳用リフィルを提供することを目的とする。
【課題を解決するための手段】
【００１０】
上記従来例の問題点を解決するための本考案は、リング穴を有するフリーのシステム手帳用リフィルであって、リング穴が形成された辺を除く端辺に、塗りつぶし可能な複数のインデックス部を設けたことを特徴とする。
【００１１】
また、本考案は、上記システム手帳用リフィルにおいて、複数のインデックス部が、リング穴が形成された辺とは反対側の端辺に、縦方向に形成されていることを特徴とする。
【００１２】
また、本考案は、上記システム手帳用リフィルにおいて、複数のインデックス部が、リング穴が形成された辺が左側に形成されている場合に、当該辺に対して右側の端辺に、縦方向に形成されていることを特徴とする。
【００１３】
また、本考案は、上記システム手帳用リフィルにおいて、インデックス部が、設けられる端辺側に開いた枠線によって形成されていることを特徴とする。
【００１４】
また、本考案は、上記システム手帳用リフィルにおいて、インデックス部が、枠線の中央部分が切れてスペースが形成され、当該スペースには数字又は文字が印刷されていることを特徴とする。
【考案の効果】
【００１５】
本考案によれば、リング穴が形成された辺を除く端辺に、塗りつぶし可能な複数のインデックス部を設けたフリーのシステム手帳用リフィルとしているので、ユーザがインデックス部を任意にマーカーで塗りつぶして容易にインデックスを形成できる効果がある。
【図面の簡単な説明】
【００１６】
【図１】本リフィルの表面図である。
【図２】本リフィルの裏面図である。
【図３】本リフィルの使用例を示す部分拡大図である。
【図４】本リフィルの応用例の表面図である。
【考案を実施するための形態】
【００１７】
本考案の実施の形態について図面を参照しながら説明する。
［実施の形態の概要］
本考案の実施の形態に係るシステム手帳用リフィル（本リフィル）は、フリーのリフィルであって、リング穴が形成された辺を除く端辺に、塗りつぶし可能な複数のインデックス部を設けたものであり、これにより、ユーザが任意にマーカーで塗りつぶして容易にインデックスを形成できるものである。
【００１８】
［本リフィル：図１，２］
本リフィルについて図１，２を参照しながら説明する。図１は、本リフィルの表面図であり、図２は、本リフィルの裏面図である。
本リフィルは、ユーザが任意に月日を設定できるフリー形式のものであり、更に、ユーザが任意にインデックスを形成できるものである。
本リフィルは、大きさとしては、ポケットサイズ、聖書（バイブル）サイズ、Ａ５サイズを想定している。図１，２では、聖書サイズを示している。
【００１９】
［本リフィルの表面：図１］
本リフィルの表面は、図１に示すように、表面１ａの中央に記入部１１ａが形成され、表面１ａの左側の端辺に、複数のリング穴１２ａが形成されている。
また、表面１ａの右側の端辺に複数のインデックス部２が縦方向に形成されている。
【００２０】
［記入部１１ａ］
記入部１１ａは、１日分（デイリー）のスケジュール等が記載できるようになっている。
記入部１１ａは、デイリーの例の他に、１週分（ウイークリー）、１月分（マンスリー）等であってもよい。
【００２１】
［リング穴１２ａ］
リング穴１２ａは、表面１１ａにおいて、左端に６穴が形成され、システム手帳のバインダーに綴じられるものである。
【００２２】
［インデックス部２］
本考案の特徴部分となるインデックス部２は、表面１１ａの右端に複数縦方向に設けられている。
また、インデックス部２には、従来の突出したインデックスを内側に折り返して印刷したものとなっており、長辺の端辺（右側）に開いた枠線により形成され、１〜１２の数字が割り当てられており、月を特定するためのインデックスとなっている。ここで、枠線は、個々のインデックス部２の領域を示すものである。
インデックス部２の具体的な構成については、後述する。
【００２３】
図１では、インデックス部２をリング穴１２ａが形成された辺とは反対側の端辺（長辺）に形成したが、表面１１ａの短辺に横方向に複数形成してもよい。つまり、表面１１ａの上辺又は下辺にインデックス部２を形成してもよい。
【００２４】
更に、長辺と短辺の両方にインデックス部２を形成してもよい。そのような構成にすれば、インデックス部で、例えば、長辺の縦方向で月を示し、短辺の横方向の上辺で年を示し、短辺の横方向の下辺で曜日を示すなど、複数のインデックスを組み合わせて使用できる。
【００２５】
［本リフィルの裏面：図２］
本リフィルの裏面１ｂは、図２に示すように、中央に記入部１１ｂが設けられ、右側の端辺にリング穴１２ｂが設けられている。
図２では、裏面１ｂには、インデックス部は形成されていないが、左側の端辺において縦方向にインデックス部を形成してもよい。その場合、インデックス部２とは反対に左側に開いた枠線により形成された形状となる。
また、裏面１ｂの短辺（上辺又は／及び下辺）にもインデックス部を形成してもよい。
尚、図１、図２に示すように、見開きで２日分の記入ができるものとなっている。
【００２６】
［本リフィルの使用例：図３］
次に、本リフィルの使用例について図３を参照しながら説明する。図３は、本リフィルの使用例を示す部分拡大図である。
まず、インデックス部２を具体的に説明すると、図３に示すように、右側に開いた枠線２１が形成され、その枠線２１の中央部分（左側の枠線の中央部分）には枠線２１が形成されず省略され、スペース（空白）となっており、そのスペースに数字又は文字（数字等）２２が印刷されて形成されている。図１，３では、月を表すものとなっている。
【００２７】
リフィルの製造工程においては、端辺で裁断されるため、インデックス部を閉じた枠線とすると、端辺に沿った枠線が裁断の仕方によっては切れてしまうことが考えられるので、図１，３に示すように、枠線２１が右側の端辺に開いた枠線としている。
尚、インデックス部２が、端辺に沿った枠線を形成し、端辺側で開いていない閉じた枠線としてもよい。
【００２８】
また、枠線２１は、図３では、逆コの字となっているが、半円又は楕円の形状であってもよい。
数字等２２は、枠線２１の中央に形成しているが、枠線の中央より上側又は下側に形成してもよい。更に、数字等２２は、枠線の外側又は内側に形成してもよい。この場合、数字等２２を端辺の近くに形成すると、裁断の仕方によっては切れてしまうので、裁断の誤差を考慮して数字等２２の位置を決定するのが望ましい。
また、数字等２２をインデックス部３の枠線上に設けているので、中央の記入部１１ａの記入スペースを必要以上に狭くすることがない。
【００２９】
そして、ユーザによってマーカーでインデックス部２が塗られる跡がマーク跡３である。
インデックス部２をマーカーでマークすることで、月等をユーザが認識できる。つまり、リフィルにユーザが手書きで「月」を記載する必要がなくなる。
本リフィルでは、数字等２２がインデックス部３の枠線内には形成されていないので、数字２２等がマーカーで上から塗られることがなく、濃い色のマーカーで塗られても数字等２２が見づらくなることがない。
また、ユーザは、インデックス部２を複数の色のマーカーを使って塗り分けすることができる。
【００３０】
従来のフリーのリフィルでは、インデックスを自分で作成する必要があり、手間が掛かるものであったし、インデックス部がリフィルより突出することで、折り曲がってしまうことがあった。
それに対して、本リフィルでは、インデックス部２をマーカーで塗るだけで容易にインデックスを形成でき、インデックスの突出も防止して、外観をきれいに保つことができるものである。
【００３１】
［本リフィルの応用例］
次に、本リフィルの応用例について図４を参照しながら説明する。図４は、本リフィルの応用例の表面図である。
図４に示すように、本リフィルの応用例では、Ａ５サイズのリフィルの表面１０ａにインデックス部２を適用したものである。
尚、図４では、ミーティング用のリフィルとなっており、左側にリング穴１２ａを備え、上部にタイトル、日時、場所、参加メンバー等の記入欄があり、その下側がメモ欄１１ｃとなっている。
【００３２】
［実施の形態の効果］
本リフィルによれば、フリーのリフィルであって、リング穴１２ａが形成された辺を除く端辺に、塗りつぶし可能な複数のインデックス部２を設けたものとしているので、ユーザが任意にマーカーでマークシートのように塗りつぶしして容易にインデックスを形成できる効果がある。
【産業上の利用可能性】
【００３３】
本考案は、リング穴が形成された辺を除く端辺に複数のインデックスを形成して、ユーザが任意にマーカーで塗りつぶして容易にインデックスを形成できるフリーのシステム手帳用リフィルに適している。
【符号の説明】
【００３４】
１ａ…表面、  １ｂ…裏面、  ２…インデックス部、  ３…マーク跡、  １０ａ…表面、  １１ａ，１１ｂ…記入部、  １１ｃ…メモ欄、  １２ａ，１２ｂ…リング穴、  ２１…枠線、  ２２…数字等
【図１】
0003214825.tif 000003
【図２】
0003214825.tif 000004
【図３】
0003214825.tif 000005
【図４】
0003214825.tif 000006